(57)【要約】【課題】コンパクトで、運搬が容易で、保管が容易な座席装置を提供する。【解決手段】第１平面内の座体１１０と、第２平面内に配置されると共に上記座体１００に連結された背もたれ１３０と、上記背もたれ１３０に連結された複数の側方支えであって、一対の横向き支え１６０及び一対の腰支え２１０を含む側方支えとを備えている。上記一対の横向き支え１６０は、背もたれ１３０に対して調節可能かつ折り畳み可能であり、コンパクトで、運搬が容易で、保管が容易な装置を提供する。この要約は、調査者又は読者が、技術的な開示事項を速やかに理解できるように記載してある。この要約により、請求項の意味が制限され又は曲解されることはない。【選択図】　図８
2004033764.tif 000002
【特許請求の範囲】
【請求項１】
第１平面内の座体と、
第２平面内に配置されると共に上記座体に連結された背もたれと、
上記背もたれに連結された複数の側方支えであって、一対の横向き支え及び一対の腰支えを含む側方支えとを備えており、
上記一対の横向き支えは、背もたれと一対の横向き支えが実質的に第２平面内に位置するように、背もたれに対して調節可能かつ折り畳み可能であり、
上記一対の腰支えは、座体と一対の腰支えが実質的に第１平面内に位置するように、座体対して調節可能かつ折り畳み可能であり、
背もたれは座体に対して折り畳み可能であることを特徴とする座席装置。
【請求項２】
座体に連結されたでん部アブダクターを備えた請求項１記載の座席装置。
【請求項３】
でん部アブダクター解除機構を備え、該でん部アダプター解除機構を活用状態とすることにより、座体に対してでん部アダプターを調節及び折り畳み可能としている請求項２記載の座席装置。
【請求項４】
座体及び背もたれに連結された座体解除機構を備え、該座体解除機構を活用状態とし、座体を希望の座深さに移動することにより、背もたれに対する座体の深さを調節できるようにしている請求項１記載の座席装置。
【請求項５】
腰支えは、第１平面内の位置から座体に対して略直立した位置に延出可能となっている請求項１記載の座席装置。
【請求項６】
一対の横向き支え解除機構と、一対の横向き支えアームと、横向き支えを背もたれに連結する複数のブラケットとを備え、各横向き支えは横向き支えアームと複数のブラケットのうちの垂直ブラケットに連結されている請求項１記載の座席装置。
【請求項７】
横向き支えは、横向き支え解除機構を活用状態とし、垂直ブラケットと横向き支えアームを希望の位置へ水平方向にスライドすることにより、水平方向調節可能となっている請求項６記載の座席装置。
【請求項８】
横向き支えは、横向き支え解除機構を活用状態とし、横向き支えアームを垂直ブラケットに沿って希望の位置に垂直方向にスライドさせることにより、垂直方向に調節可能となっている請求項６記載の座席装置。
【請求項９】
横向き支えは、水平方向及び垂直方向に同時に調節可能となっている請求項６記載の座席装置。
【請求項１０】
横向き支えは、第２平面内の位置から背もたれに対して実質的に直立した位置へ延出可能となっている請求項１記載の座席装置。
【請求項１１】
腰支え間の間隔は、腰支え解除機構を活用状態とし、各腰支えを水平に移動させることにより、調節可能となっている請求項５記載の座席装置。
【請求項１２】
腰支えは、腰支え解除機構を活用状態とすることにより折り畳み可能となっている請求項１１記載の座席装置。
【請求項１３】
座体に連結された少なくとも一つの足置きを備えた請求項１記載の座席装置。
【請求項１４】
第１平面内の座体、第２平面内の背もたれ、該背もたれに連結された一対の横向き支え、及び上記背もたれに連結された一対の腰支えを含む座席システムと、
座体に対して背もたれ及び一対の腰支えを折り畳むと共に、背もたれに対して一対の横向き支えを折り畳む折り畳み手段と、
背もたれ、一対の横向き支え及び一対の腰支えを、使用者の要求に応じて調節可能となるように形成された調節手段とを備えている座席装置。
【請求項１５】
座体に連結されたでん部アブダクターを備えた請求項１４記載の座席装置。
【請求項１６】
折り畳み手段は、座体に対してでん部アブダクターを折り畳み可能とするように形成されたでん部アブダクター解除機構を備えた請求項１４記載の座席装置。
【請求項１７】
調節手段は、背もたれに対する座体の深さをスライド調節可能とする座体解除機構を含んでいる請求項１４記載の座席装置。
【請求項１８】
調節手段は、一対の横向き支え解除機構を含み、該解除機構が活用状態の時に、横向き支えの水平及び垂直方向の調節ができるようになっている請求項１４記載の座席装置。
【請求項１９】
調節手段は、腰支えの調節を可能とする一対の腰支え解除機構を含んでいる請求項１４記載の座席装置。
【請求項２０】
腰支えは、第１平面内の位置から座体に対して実質的に直立した位置へ延出可能となっている請求項１４記載の座席装置。
【請求項２１】
腰支え間の間隔は、腰支え解除機構を活用状態とし、各腰支えを水平に移動させることにより、調節可能となっている請求項２０記載の座席装置。
【請求項２２】
腰支えは、腰支え解除機構を活用状態とすることにより折り畳み可能となっている請求項２１記載の座席装置。
【請求項２３】
横向き支えは、第２平面内の位置から背もたれに対して実質的に直立した位置へ延出可能となっている請求項１４記載の座席装置。
【請求項２４】
一対の横向き支え解除機構を備え、各横向き支え解除機構は横向き支えを背もたれに連結している請求項２３記載の座席装置。
【請求項２５】
第１平面内の座体と、第２平面内に配置されると共に上記座体に連結された背もたれと、上記背もたれに連結されると共に一対の横向き支えを有する横向き支え装置と、上記背もたれに連結されると共に一対の腰支えを有する腰支え装置とを含む平面状支えシステムを提供することと、
上記背もたれ、横向き支え及び腰支えを使用者の要求に応じて位置決めすることからなり、
横向き支えを背もたれに対して折り畳み可能に形成し、腰支えを座体に対して折り畳み可能に形成し、そして背もたれを座体に対して折り畳み可能に形成する平面状の座席装置を提供する方法。
【請求項２６】
でん部アブダクターを提供することを有する請求項２５記載の座席装置を提供する方法。
【請求項２７】
使用者の要求に応じてでん部アブダクターを位置決めすることを有する請求項２５記載の座席装置を提供する方法。
【請求項２８】
座体、横向き支え及び腰支えを、使用者の要求に応じて位置決めするための複数の解除機構を提供することを有する請求項２５記載の座席装置を提供する方法。
【請求項２９】
複数の解除機構は、座体の深さをスライド調節するための座体解除機構を含んでいる請求項２８記載の座席装置を提供する方法。
【請求項３０】
複数の解除機構は、一対の横向き支え解除機構を含んでいる請求項２８記載の座席装置を提供する方法。
【請求項３１】
横向き支えを水平及び垂直方向に調節するために、一対の横向き支えアームと複数のブラケットを有する請求項３０記載の座席装置を提供する方法。
【請求項３２】
複数の解除機構は、腰支えを調節するための一対の腰支え解除機構を含んでいる請求項２８記載の座席装置を提供する方法。
【請求項３３】
第１平面内の座体と、第２平面内の背もたれと、上記背もたれに連結された横向き支え装置と、上記背もたれに連結された腰支え装置とを含む、平面状支えシステムを提供することと、
横向き支えを、該横向き支えが第２平面内に実質的に置かれるように、背もたれに対して折り畳むことと、背もたれと腰支え装置を、それら背もたれと腰支え装置が実質的に第１平面内に置かれるように、座体に対して折り畳むことを有する、調節可能な平面状の座席装置を折り畳む方法。
【請求項３４】
でん部アブダクターを提供することを有する、請求項３３記載の座席装置を折り畳む方法。
【請求項３５】
でん部アブダクターを、該でん部アブダクターが実質的に第２平面に置かれるように、座体に対して折り畳むことを有する、請求項３３記載の座席装置を折り畳む方法。
【請求項３６】
横向き支え、背もたれ及び腰支えを折り畳むために、複数の解除機構を提供することを有する、請求項３２記載の座席装置を折り畳む方法。
【請求項３７】
複数の解除機構は、座体の深さをスライド調節するための座体解除機構を含んでいる請求項３６記載の座席装置を提供する方法。
【請求項３８】
複数の解除機構は、一対の横向き支え解除機構を含んでいる請求項３６記載の座席装置を提供する方法。
【請求項３９】
横向き支えを水平及び垂直方向に調節できるように、一対の横向き支えアームと複数のブラケットを有する請求項３８記載の座席装置を提供する方法。
【請求項４０】
複数の解除機構は、腰支えを調節できるように、一対の腰支え解除機構を含んでいる請求項３６記載の座席装置を提供する方法。
【請求項４１】
座体に連結された少なくとも一つの足置きを提供することを有する、請求項３２記載の座席装置を提供する方法。
【発明の詳細な説明】
【技術分野】
【０００１】
本発明は、座席装置に関する。特に、取扱いや運搬に便利なように折り畳むことができる、調節可能な折り畳み式の平面状の座席装置に関する。
【背景技術】
【０００２】
（一般的背景及び従来技術）
車椅子、ベビーカー、その他の移動式椅子に使用される座席装置として、固定式で折り畳み不可能な装置があるが、運搬及び保管が面倒である。運搬及び調節が容易な座席装置は、多くの身体障害児にとって便利なものであり、また、多くのリハビリの専門家も好んでいる。現在の座席装置の中には、ブラケットと溝状のボルト挿通孔のような位置決め機構を有しているものがあるが、扱い難く、運搬に手間がかかる。別の座席装置として、背中合わせに折り畳むことができる平面状座席要素を備えたものもあり、これにより運搬時の容積を減らすことはできるが、他の位置決め機構が座席要素から外方に突出した状態で残ってしまう。
【０００３】
したがって、平面状座席要素を有する座席装置の技術においては、調節可能な位置決め要素と、調節可能な形状が要求される。この座席装置は、運搬に便利なように簡単に調節でき、かつ折り畳めなければならない。
【考案の開示】
【発明の要約】
【０００４】
本発明の特徴の一つは、座席装置において、第１平面内の座体と、該座体に連結された第２平面内の背もたれと、上記背もたれに連結された複数の側方支えとを含んでおり、該複数の側方支えは、一対の横向き支えと一対の腰支えを含んでいる。一対の横向き支えは、背もたれと一対の横向き支えが実質的に同じ第２平面内に位置するように、背もたれに対して調節可能かつ折り畳み可能となっている。一対の腰支えは、座体と一対の腰支えが実質的に同じ第１平面内に位置するように、座体に対して調節可能かつ折り畳み可能となっている。
【０００５】
本発明の別の特徴は、座席装置において、第１平面内の座体、第２平面内の背もたれ、該背もたれに連結された一対の横向き支え、及び上記背もたれに連結された一対の腰支えを含む座席システムと、背もたれ及び一対の腰支えを座体に対して折り畳み可能とすると共に背もたれに対して一対の横向き支えを折り畳み可能とする折り畳み手段と、背もたれ、一対の横向き支え及び一対の腰支えを、使用者の要求に応じて調節可能とする調節手段とを備えている。
【０００６】
本発明のさらに別の特徴は、調節可能な平面状の座席装置を提供する方法において、第１平面内の座体と、第２平面内に配置されると共に上記座体に連結された背もたれと、上記背もたれに連結されると共に一対の横向き支えを有する横向き支え装置と、上記背もたれに連結されると共に一対の腰支えを有する腰支え装置とを含む平面状支えシステムを提供することと、上記背もたれ、横向き支え及び腰支えを使用者の要求に応じて位置決めすることとを含み、それにより横向き支えは背もたれに対して折り畳み可能に形成され、腰支えは座体に対して折り畳み可能に形成され、そして背もたれは座体に対して折り畳み可能に形成される。
【０００７】
本発明のさらに別の特徴は、調節可能な平面状の座席装置を折り畳む方法において、第１平面内の座体と、第２平面内の背もたれと、上記背もたれに連結された横向き支え装置と、上記背もたれに連結された腰支え装置とを含む、平面状支えシステムを提供することと、横向き支えを、該横向き支えが第２平面内に実質的に置かれるように、背もたれに対して折り畳むことと、背もたれと腰支えを、それら背もたれと腰支えが実質的に第１平面内に置かれるように、座体に対して折り畳むことを有している。
【０００８】
本発明の他の実施形態は、以下の詳細な説明により当該技術の専門家にとって難なく明確に理解できるものである。以下の説明は、本発明の単なる例示的な実施形態を、実例として、図面と関連付けた説明である。本発明はその他の様々な実施形態を採ることが可能であり、その幾らかの細部は、本発明の精神及び範囲から外れることなく、様々な他の範囲において変形することが可能である。したがって、図面及び詳細な説明は、当に実例として示したものであり、それらに制限されるものではない。
【発明を実施するための最良の形態】
【０００９】
（実施の形態の詳細な説明）
以下、本発明が実施できるいくつかの例示的な実施形態を、添付図面と関連付けて詳細に説明する。この説明を通して使用される「例示的な」という言葉の意味は、「一例、一具体例、又は一つの実例として供する」ことであり、必ずしも、他の実施形態よりも好ましい又は好都合な例であると解釈すべきではない。詳細な説明は、本発明を完全に理解できるように特有の細目を含んでいる。しかし、本発明が、上記特有の細目がなくとも実施可能ことは、当技術の専門家にとっては明確である。いくつかの例において、良く知られた構造及び装置については、本発明の概念が不明瞭になるのを避けるために、ブロック図形式で示してある。
【００１０】
本発明の例示的な一つの実施形態において、平面座席装置は、第１平面内の座体と、第２平面内に配置されると共に前記座体に連結された背もたれと、前記背もたれに連結された複数の側方支えを含んでいる。複数の側方支えは、一対の横向き支えと一対の腰支えを含んでいる。一対の横向き支えは、背もたれに対して調節可能かつ折り畳み可能であり、それにより背もたれと一対の横向き支えは実質的に第２平面内に位置する。一対の腰支えは、座体に対して調節及び折り畳み可能であり、それにより座体と一対の腰支えは実質的に第１平面内に位置する。背もたれは、また、座板に対して折り畳める形状となっている。本発明による平面座席装置は、車椅子又はベビーカーのフレームに取り付ける形状に形成することができ、そうすることにより、平面座席装置は、保管及び運搬ために取り外し可能となる。平面座席装置は、また、フレームに対して取り外し不能に連結することも可能であるが、平面座席装置が連結された装置の運搬及び保管のために、折り畳み可能とすることができる。
【００１１】
本発明の様々な特徴は、車椅子、ベビーカー及びその他の移動可能な装置の説明中で述べるが、当業者であれば、平面座席装置及び方法が様々な他の環境において使用する場合でも、同様に適用できることは理解できる。したがって、車椅子、ベビーカー又は他の可動装置についてのいかなる言及も、そのような発明性のある特徴が広範囲に適用できることを理解したした上で、単に、本発明の特徴を記載したつもりである。
【００１２】
図１は、本発明による座席装置１００の斜視図である。図１により、第１平面１２０内に位置する座体１１０と第２平面１４０内に位置する背もたれ１３０を有すると共に、直立位置の座席装置１００を示している。座席装置１００は、一対の横向き支え１６０、横向き解除機構１７０、水平ブラケット１８０、垂直ブラケット１８２及び一対の横向き支えアーム１９０を有する横向き支え装置１５０も含んでいる。横向き支え１６０は、図１では、背もたれ１３０と実質的に同一平面、すなわち第２平面１４０内に示されている。横向き支え１６０は、この平面位置から、背もたれ１３０に対して実質的に直立した位置まで展開するように移動可能となっている。座席装置１００は、また、一対の腰支え２００、腰支え解除機構２２０及び一対の腰支えアーム２３０を有する腰支え装置２００を含んでいる。腰支え２１０は座体１１０に対し実質的に直立姿勢で示されている。腰支え２１０は、該腰支え２１０が第１平面１２０と実質的に平行な平面内に位置するように、座体１１０に対して第１平面１２０の位置へ移動可能である。
【００１３】
座席装置１００は、また、座体が第１平面に位置し、背もたれが第２平面に位置し、一対の横向き支えが背もたれに連結されている座席システムを有するものとして説明することもできる。座席システムは、また、背もたれに連結された一対の腰支えを含むことができる。一対の横向き支えと一対の腰支えは、複数の側方支えからなっており、該側方支えはこの明細書内で述べる部品を有している。
【００１４】
本発明で使用する移動可能な部品は、折り畳み、調節又はスライドするために相互に相対的に移動できる構成であれば、いかなる材料でも製作することが可能である。材料としては、アルミニウム、ステンレス鋼又は該技術において通常知られている類似の材料が含まれる。背もたれ及び座体は、少なくとも１つの発泡層で被覆されると共に、防水性及び耐候性を有する織物で被覆された合板で製作することも可能である。少なくとも１つの発泡層は、複数の発泡層とすることができ、そして、座席装置１００の使用者に快適性を提供するような漸増的な寸法と堅固性を有する複数の層とすることができる。
【００１５】
図２は、本発明による座席装置１００の側面図である。図２の座席装置１００は、座席装置１００が折り畳み可能であることを示すために、座体１１０に対して背もたれ１３０を相対的に押し倒した状態で示してある。
【００１６】
図３は、本発明の座席装置１００の補足的な側面図であり、背もたれ１３０を、第１平面１２０に対して実質的に平行な面内に位置するように、折り畳んだ状態を示している。図３に明確に表示された折り畳み可能な構成は、座席装置１００が、保管及び運搬が容易になるコンパクトで平坦状の座席装置として折り畳むことができることを示している。
【００１７】
図４は座席装置１００の底面図である。座席装置１００は、座体解除機構２４０を含んでおり、該座体解除機構１００により、座体１１が背もたれ１３０に対して調節可能となっている。座体解除機構２４０を活用状態とすることにより、背もたれ１３０に対する座体１１０の深さを、座席装置１００の使用者の要求に応じて調節することができる。上記深さは様々な目的のために調節することができる。すなわち、座席装置１００を利用する様々な寸法の子供達、又は、座席装置１００の使用者の様々な着座位置に対応するように調節できる。座体解除機構２４０は、バー２４２及びトラック溝２４５内に位置するノブ２４４を含んでいる。座体解除機構２４０は、ノブ２４４を回し、ノブ２４４をトラック２４５内でスライドさせることにより活用される。これにより、座体１１０を希望の深さにスライド調節する。
【００１８】
図５は座席装置１００の拡大平面図である。図５では、横向き支え１６０の一つが、背もたれ１３０に対して実質的に同一平面位置から、使用者が希望する展開位置へ移動可能であることを示している。横向き支え１６０は、該横向き支え１６０を掴むと共に物理的にその平面から使用者の希望する位置へ動かすことによって、第２平面１４内の背もたれ１３０に対して平行な位置から移動可能となっている。
【００１９】
図６は、座席装置１００の補足的な拡大平面図である。図６では、背もたれ１３０に対して実質的に同一平面内に位置する一つの横向き支え１６０と、背もたれ１３０に対して実質的に同一平面内の位置から展開されている別の横向き支え１６０とを示している。図７は、座席装置１００のさらに別の拡大平面図であり、背もたれ１３０に対して実質的に同一平面内に位置する一つの横向き支え１６０と、第２平面１２０及びび背もたれ１３０に対して実質的に直立した全展開位置の別の横向き支え１６０とを示している。
【００２０】
図８は座席装置１００の斜視図である。図８では、横向き支え解除機構１７０のノブ１７２を回して横向き解除機構１７０を活用状態とすることにより調節された横向き支え１６０の一つを示している。ノブ１７２を回すことにより、横向き支え１６０を垂直又は水平方向に調節することができる。それにより、横向き支え１６０の高さを、座席装置１００の様々な使用者に対応させることができる。また、両横向き支え１６０間の幅は、ノブ１７２を回し、横向き支え解除機構１７０を活用状態とすることにより調節することができる。それにより、横向き支えの位置を、使用者の各種要求に適合するように調節することができる。横向き支えアーム１９０は垂直ブラケット１８２に結合されており、横向き支えノブ１７２により垂直ブラケット１８２を水平ブラケット１８０に締結している。横向き支えノブ１７２を回すことにより垂直ブラケット１８３２と水平ブラケット１８０との締結を解除し、垂直ブラケット１８２を水平ブラケット１８０内のトラック溝３３８に沿って水平方向に、あるいは、垂直ブラケット１８２のトラック３４２内を垂直方向に移動し、横向き支え１６０を位置決めすることができる。図８は、また、腰支えアーム２３０に結合された腰支え２１０を示している。図８に示された腰支え２１０は座体１１０に対して実質的に直立状態に位置している。
【００２１】
図９は座席装置１００の拡大斜視図である。図９では、腰支え解除機構２２０を活用状態とすることにより、腰支え２１０が調節できることを示している。この調節は、腰支えノブ２１２を回して腰支え２１０の固定を緩め、他方の腰支え２１０に対して相対的に適当な位置に達するまで、腰支えアーム２３０を水平方向にスライドさせ、腰支えノブ２１２を締め付けることにより、達成される。この方法において、２つの腰支え２１０間の距離は、使用者の要求に応じて調節することができる。
【００２２】
横向き支え解除機構１７０、腰支え解除機構２２０、座体解除機構２４０及びでん部アブダクター解除機構２６０は、総てノブを備えており、このノブを回ことにより部品の固定を緩め、各解除機構を活用状態とし、取り付けられた部品を移動できるようになっている。部品を締め付けるようにノブを回すことにより、部品の動きを停止し、また、非活用状態とする。この明細書は一つの形態を述べているだけであり、２つの部材間の連結を締め付け又は緩めるためにノブを回す工程は、解除機構の一の活用状態を示しているだけである。
【００２３】
横向き支え装置１５０とその横向き支え１６０、腰支え装置２００とその腰支え２１０、座体１１０、でん部アブダクター２５０、及び足置き２７０のような部品を移動させることによって、様々な使用者の要求に応じて座席装置１００の部品調節ができるのである。本発明において、上記各部品を動かすためには多くの異なる方法が利用でき、そして、解除機構又は複数の解除機構は、座席装置１００の調節を楽に行なえる一つの手段である。一つの方法は、取り外し可能なピン又はボルトによって複数の支え部材を希望の位置に固定することである。ピン又はボルトを取り外すことにより、複数の支えは希望位置へ移動可能となり、そしてピン又はボルトを元に戻すことにより固定可能となる。
【００２４】
図１０は、座席装置１００の追加的な斜視図であり、車椅子またはその他の移動装置のフレーム３００に取り付けた座席装置を示している。シートフック３０２は、フレーム３００に対して座体１１０を位置決めする役目を果たすことができる。シートフック３０２は、座体の下側に設けることができる。フレーム３００はラッチ３０４、３０６を備えており、ラッチ３０４、３０６でシートフック３０２を受け止めることにより、座席装置１００の座体１１０を固定手段によってフレーム３００上に停止できるようになっている。フレーム３００の前部３０８に位置するラッチ３０４は、座体１１０の前部のシートフック３０２がラッチ３０４とフレーム３００の間にスライドして固定されるように、位置決めされる。それから、座体１１０の後部３１６のシートフック３０２は、フレーム３００の後部３１２に位置決めされる。フレーム３００の後部３１２に位置するラッチ３０６は、図１０に示すようにフレーム３００に対して直立した位置（直角な位置）からフレーム３００に対して平行な位置へ回動し、シートフック３０２をフレーム３００に固定する。
【００２５】
符号３１４で示されたドロップフックは、シートフックの変形例であり、座席装置１００をシートフック３０２の使用時よりも低い位置に固定することができる。ドロップフック３１４は座体１１０の後部３１６に配置されており、座席装置１００の後端が座席装置１００の前部よりも低く位置するようになっている。座席装置１００は、また、ドロップフック３１４を使用することにより、フレーム３００に対して前方又は後方に傾斜させることができる。ドロップフック３１４は、それから、座体１１０の後部３１６に結合される。この実施形態においては、シートフック３０２も含まれており、座体１１０の前部３１０に結合される。ラッチ３０４、３０６はドロップフック３１４及びシートフック３０２を前述のようにフレーム３００に固定する。
【００２６】
図１１は、座席装置１００を、車椅子又はベビーカーのフレーム３００に固定するための結合機構３１８の一例を示す拡大図である。この例において、結合機構３１８は、複数のノッチ３２２を有するノッチ付きバー３２０を有している。結合機構３１８は、また、延長部材３２４を有しており、該延長部材３２４は座席装置１００の背もたれ１３０の後部３２６から突出している。延長部材３２４は、複数のノッチ３２２の１つのノッチ３２２を位置決めできるナット３２８を備えている。延長部材３２４は、また、カムロック３３０を有しており、該カムロック３３０により、複数のノッチ３２２の１つのノッチ３２２をナット３２８に係合し、ノッチ付きバー３２０をナット３２８に位置決め固定できるようになっている。カムロック３３０は、図１１には示していないが、開放位置から図１１に示すロック位置まで回動可能となっており、ノッチ付バー３２０がナット３２８から外れないようにしている。カムロック３３０は、また、該カムロック３３０を一つの位置から別の位置に移動できるように、リップ３３２を有している。
【００２７】
図１２は横向き支え装置１５０に使用するスライドロック３３４の拡大斜視図である。スライドロック３３４は水平ブラケット１８０と垂直ブラケット１８２の間に配置されている。スライドロック３３４は、水平ブラケット１８０のトラック溝３３８に沿ってスライドする水平インサート３３６と垂直ブラケット１８２のトラック溝３４２に沿ってスライドする垂直インサート３４０を備えている。スライドロック３３４は、また、横向きノブ１７２が配設される孔３４４を有している。スライドロック３３４は、常時、水平ブラケット１８０に対して垂直ブラケット１８２を９０°の角度で維持している。図１４は、スライドロック３３４及び横向き支え装置１５０と共に使用されるロッキングストッパー３４６の一形態を示す拡大図である。ロッキングストッパー３４６は、水平ブラケット１８０及び垂直ブラケット１８２のいずれのトラック溝３３８及び３４２内にも位置決め可能であり、それにより横向き支え装置１５０の動きを阻止し、または、水平及び垂直ブラケット１８０及び１８２を予め設定された位置に調節することができる。
【００２８】
これらのロッキングストッパー３４６は、座席装置１００の使用者によって取り外し及び取り付けが可能となっており、横向き支え１６０の位置決めの安全性を増し、横向き支え１６０の好ましい取り付け状態を保持することができる。別の実施形態において、一対のねじ３４８を、水平及び垂直ブラケット１８０及び１８２を所定位置に固定するために使用することができる。ロッキングストッパー３４６及びスライドロック３３４は、鋼鉄又はナイロンで製造することが可能である。
【００２９】
図１３は、座体１１０に対して腰支え２１０を展開した状態を示す拡大側面図であり、破線により腰支え２１０の折り畳み位置を示している。腰支え２１０は前述のように腰支え装置２００を調節することにより位置決め可能である。座席装置１００の折り畳み可能性について、使用者は、背もたれ１３０を座体１１０に対して実質的に平行に折り曲げて畳むことができるために、様々なオプションを希望することがある。図１３に示すように、通常展開状態の腰支え２１０を有していると、座体１１０に対して実質的に平行に折り畳む際に腰支えが邪魔になるために、多くの種々の具体例では、腰支え２１０を調節、取り外し又は位置決めできるようになっている。前記図９で説明した一実施形態では、腰支え２１０は互いに水平方向に展開可能であり、互いに外方に移動させることにより、背もたれ１３０を座体１１０と実質的に平行な位置に折り畳むことができる。そのような位置を達成するために、腰支え解除機構２２０の腰支えノブ２１２を回すことにより、腰支え装置に沿って腰支えアーム２３０を水平に動かすことができる。希望の位置に達した時に、腰支えノブ２１２を締め付け、腰支え２１０をそれらの折り畳み位置に固定する。図１３に示す別の実施の形態において、腰支え２１０は座体１に隣合う位置に折り畳み調節でき、それにより座体１１０に対して直角状態よりも長く展開しないようになっている。図１３では、破線により、折り畳み位置における腰差支え２１０の状態を示している。このような折り畳み位置に折り畳むために、腰支え解除機構２２０の腰支えノブ２１２を回すことにより、腰支え２１０が回動できるように腰支えアーム２０の固定状態を解除する。折り畳んだ後は、腰支えノブ２１２を元の位置に戻し、それにより腰支え２１０を折り畳み位置に固定する。別の実施の形態においては、腰支え２１０を腰支え装置２００及び座席装置１００から完全に取り外し可能とする。この場合は、腰支え解除機構２２０の腰支えノブ２１２を回すことにより、腰支え２１０を固定状態から解除し、それから、腰支え２１を、それが載っているトラック溝内から外す。
【００３０】
図１５は、本発明による座席装置の補足的な斜視図である。図１５では、第１平面１２０内に位置する座体１１０、第２平面１４０内に位置する背もたれ１３０、一対の横向き支え１６０、一対の腰支え２１０、でん部アブダクター装置２５０及び足置き２７０を備えている。でん部アブダクター装置２５０はでん部アブダクター解除機構２６０を備えている。でん部アブダクター２５０は、座席装置１００に座る人に追加の支えを提供するために、座席装置１００に備えることができる。足置き２７０は、座席装置１００に座る人のために、安定した足台を提供するために座席装置１００に備えることができ、これにより、使用者の脚及び足が、座体１００の端部を越えて支持されない状態でぶら下がるのを避けることができ、かつ、不適当な車椅子の足置きの代用とすることができる。
【００３１】
図１６は、本発明による座体１１０及びでん部アブダクター装置２５０の正面図である。でん部アブダクター装置２５０及びでん部アブダクター解除機構２６０は図１６に示されている。でん部アブダクター装置２５０は座体１１０に対して直立した状態で示されている。破線はでん部アブダクター装置２５０を移動可能な位置を示している。符号２５４で特定された破線は、でん部アブダクター装置２５０が９０°回動して、背もたれ１３０が実質的に座体１１０と同じ平面まで折り畳むことができるように、座体１１０の前端部２５５に沿って位置した状態を示している。したがって、でん部アブダクター解除機構２６０によって、でん部アブダクター装置２５０を座体１１０に対して直立した位置から除去することが可能となり、座席装置１００をコンパクトな状態に折り畳むことができる。符合２５２で特定された破線は、でん部アブダクター装置２５０の一形態における中央コア部分を示している。中央コア部分２５２は、でん部アブダクター装置２５０に内蔵され、座席装置１００に座る人のための追加の支えを提供する。中央コア部分２５２は、発泡体、木又はその他の丈夫な材料で作られており、座席装置１００に座る人の内もも及びでん部を支持するのに使用される。
【００３２】
図１７は、本発明の座席装置１００を後ろから見た斜視図である。図１７では、横向き支え装置１５０、腰支え装置２００、座体１１０及び足置き２７０のための様々の解除機構を示している。図１７では、また、座体１１０の下側に配置されたでん部アブダクター解除機構２６０も示している。
【００３３】
図１８は横向き支え１６０に結合された横向き支えアーム１９０の部分の拡大斜視図である。図１８では、横向き支えアーム１９０の結合機構部分１９２を示しており、該結合機構部分１９２により、横向き支え１６０が、背もたれ１３０と同じ第２平面１４０内に実質的に位置するように折り畳むことができる。
【００３４】
図１９は、座席装置１００の補足的な斜視図である。図１９では、でん部アブダクター装置２５０の別の例を示している。この例において、座席装置１００に座る使用者は、彼らの脚をでん部アブダクター装置２５０の中央部２５７と追加部２５８の間に位置させる。
【００３５】
図２０は、図１９の例の補足的な斜視図であり、座体１１０へのでん部アブダクター装置２５０の取り付けを示している。フック及びパイル装置２９０がでん部アブダクター装置２５０を座体１１０に結合するために使用されている。したがって、フック及びパイル装置２９０はでん部アブダクター解除機構２６０としての役目も果たしている。この実施形態においては、フック及びパイル装置２９０による固定を解除し、アブダクター装置２５０を適切な位置まで移動した後、フック及びパイル装置２９０を再び座体１１０に固定することにより、特別な使用者の要求に応じてアブダクター装置２５０を調節できる。また、図２０から理解できるように、足置き２７０の垂直方向に位置は、足置きノブ３６０を、移動可能な活用状態にすると共に、足置きバー３５８に沿って足置き２７０を垂直方向に位置決めすることにより、調節することが可能である。足置き解除機構２８０は、足置きバー３５８を保持する角チューブ２８２を有しており、角チューブ２８２をばね２８４に抗して引っ張ることにより、足置き２７０を折り畳んだり、使用者の希望に応じて水平に展開することができる。
【００３６】
図２１は、本発明の一実施形態による座席装置１００と共に使用するでん部アブダクター装置２５０の側面図である。この実施形態において、第１レバー３５０及び第２レバー３５２の位置は、でん部アブダクター装置２５０が上昇か下降位置かによって決定される。図２１において、第１レバー３５０は、でん部アブダクター装置２５０の支えバー３５４と第２レバー３２の間に位置するように示されている。でん部アブダクター装置２５０は回転部材３５６の周りに回転可能となっており、該回転部材３５６もアブダクター装置２５に含まれる。図２１は、座体１１０と同一平面内にでん部アブダクター装置２５０が位置するリラックス位置を示している。これにより、背もたれ１３０を座体１１０に対して実質的に平行な位置に折り畳むことができる。図２２は図２１のでん部アブダクター装置２５０の補足的な側面図である。第１レバー３５０及び第２レバー３５２は、図２１の状態とは異なった位置で示されている。ここで、第１レバー３５０の端部は第２レバー３５２の端部に接触している。これにより、第２レバー３５２を延出方向に付勢し、第２レバー３５２が回転部材３５６に対して相対的に動き、でん部アブダクター装置２５０を座体１１０の上に突出させるように上方に押す。この形状は、座席装置１００の使用者のためのでん部サポートとして使用される。
【００３７】
前記各実施形態における説明によって、本発明は、当該技術のいかなる専門家でも製造又は実施できる。これらの実施形態に対する様々な変形例は、当該技術の専門化とってはたやすく理解することができる。そして、ここで定義された一般的な原則は、他の実施形態に対しても発明の範囲又は精神から離れることなく適用することができる。このように、本発明は、ここに示した実施形態に限定されることなく、ここに開示した原則及び新たな特徴に一致した最も広い範囲にしたがっている。
【図面の簡単な説明】
【００３８】
【図１】本発明による座席装置の斜視図である。
【図２】座体側へ移動した背もたれを有する座席装置の側面図である。
【図３】背もたれが座板と同じ平面内に折り畳まれた座席装置の側面図である。
【図４】本発明による座席装置の底面図である。
【図５】横向き支えの折畳み位置からの動きを示す座席装置の拡大平面図である。
【図６】横向き支えが折畳み位置から図５の位置を経てさらに動いた状態を座席装置の拡大平面図である。
【図７】全折畳み位置の一方の横向き支えと全展開位置の別の横向き支えを示す座席装置の拡大平面図である。
【図８】全折畳み位置の一方の横向き支えと全展開位置の別の横向き支えを示す座席装置の斜視図である。
【図９】座体に対して展開された位置の腰支えを示す座席装置の斜視図である。
【図１０】座席装置の補足的な斜視図である。
【図１１】車椅子又はベビーカーのフレームに座席装置を結合するための結合機構の拡大図である。
【図１２】本発明と共に使用するロック構成部品の拡大斜視図である。
【図１３】座体に対して展開した状態の腰支えを示すと共に、破線により折り畳み位置を示す腰支えの拡大側面図である。
【図１４】本発明と共に使用する別のロック構成部品の拡大図である。
【図１５】横向き支え、腰支え、でん部アブダクター及び足置きを示す本発明による座席装置の補足的な斜視図である。
【図１６】本発明による座体及びでん部アブダクターを示すと共に、破線によりでん部アブダクターが回転移動した状態を示す正面図である。
【図１７】本発明による座席装置を後方から見た斜視図である。
【図１８】座席装置の横向き支えと共に使用する結合機構の拡大図である。
【図１９】でん部アブダクターの変形例を示す本発明の座席装置の斜視図である。
【図２０】図１９のでん部アブダクターの形態の底部取付形状を示しており、本発明による座席装置の後方斜視図である。
【図２１】本発明の一実施形態による座席装置と共に使用するでん部アブダクターの側面図である。
【図２２】図２１のでん部アブダクターの補足的な側面図である。
【図１】
2004033764.tif 000003
【図２】
2004033764.tif 000004
【図３】
2004033764.tif 000005
【図４】
2004033764.tif 000006
【図５】
2004033764.tif 000007
【図６】
2004033764.tif 000008
【図７】
2004033764.tif 000009
【図８】
2004033764.tif 000010
【図９】
2004033764.tif 000011
【図１０】
2004033764.tif 000012
【図１１】
2004033764.tif 000013
【図１２】
2004033764.tif 000014
【図１３】
2004033764.tif 000015
【図１４】
2004033764.tif 000016
【図１５】
2004033764.tif 000017
【図１６】
2004033764.tif 000018
【図１７】
2004033764.tif 000019
【図１８】
2004033764.tif 000020
【図１９】
2004033764.tif 000021
【図２０】
2004033764.tif 000022
【図２１】
2004033764.tif 000023
【図２２】
2004033764.tif 000024
【外国語明細書】
2004033764.tif 000025
2004033764.tif 000026
2004033764.tif 000027
2004033764.tif 000028
2004033764.tif 000029
2004033764.tif 000030
2004033764.tif 000031
2004033764.tif 000032
2004033764.tif 000033
2004033764.tif 000034
2004033764.tif 000035
2004033764.tif 000036
2004033764.tif 000037
2004033764.tif 000038
2004033764.tif 000039
2004033764.tif 000040
2004033764.tif 000041
2004033764.tif 000042
2004033764.tif 000043
2004033764.tif 000044
2004033764.tif 000045
2004033764.tif 000046
2004033764.tif 000047
2004033764.tif 000048
2004033764.tif 000049
2004033764.tif 000050
2004033764.tif 000051
2004033764.tif 000052
2004033764.tif 000053
2004033764.tif 000054
2004033764.tif 000055
2004033764.tif 000056
2004033764.tif 000057
2004033764.tif 000058
2004033764.tif 000059
2004033764.tif 000060
2004033764.tif 000061
2004033764.tif 000062
2004033764.tif 000063
2004033764.tif 000064
2004033764.tif 000065
2004033764.tif 000066
2004033764.tif 000067
2004033764.tif 000068
2004033764.tif 000069
2004033764.tif 000070
2004033764.tif 000071
2004033764.tif 000072